(57)【特許請求の範囲】
【請求項１】
名称と読み仮名と電話番号とを関連付けて電話帳データとして記憶した記憶手段と、電話番号の入力および予め任意に割り振られた文字の選択に用いられるダイヤルボタンとダイヤル発信操作時に押下される機能キーと前記記憶手段から所望の電話帳データを検索する際に操作される検索手段とを備えた操作入力手段と、この操作入力手段による操作過程および操作結果を表示する表示手段と、前記各手段を含む電話機全体の動作制御を行う主制御手段とからなる電話帳機能付電話機であって、
前記主制御手段は、
待受け状態での第１の操作がダイヤルボタンの押下であり、続く第２の操作がダイヤルボタンの押下である場合には、ダイヤルボタンの押下による全ての電話番号の入力後に、電話回線を捕捉してダイヤル発信を行なうプリセットダイヤルモードを実行し、
待受け状態での第１の操作がダイヤルボタンの押下であり、第２の操作が検索手段の操作である場合には、押下されたダイヤルボタンに割り振られた文字を頭文字とする読み仮名に関連付けられた電話番号を前記記憶手段から読み出し、この読み出した電話番号を前記表示手段に表示する頭文字検索モードを実行することを特徴とする電話帳機能付電話機。
【請求項２】
前記第１の操作におけるダイヤルボタンの押下に対応して、押下されたダイヤルボタンの番号とこの押下されたダイヤルボタンに割り振られた文字とが前記表示手段に同時に表示される請求項１記載の電話帳機能付電話機。
【請求項３】
前記主制御手段は、前記プリセットダイヤルモード移行中において、電話番号の一部分が入力された状態で前記検索手段の操作が行われた場合には、ダイヤルボタンの押下により入力された番号から始まる電話番号を記憶手段から読み出し、この読み出した電話番号を表示手段に表示する電話帳検索モードを実行する請求項１記載の電話帳機能付電話機。
【発明の詳細な説明】
【０００１】
【発明の属する技術分野】
本発明は、電話機に関し、特に名称（氏名を含む）と電話番号とを記憶する電話帳機能付電話機に関する。
【０００２】
【従来の技術】
電話機を利用して電話をする目的は、一般的には特定の相手と通話をすることであり、特定の相手と通話をするためには、特定の電話番号をダイヤルする必要がある。
【０００３】
電話番号をダイヤルする際、頻繁に電話をかける相手であれば、オペレータ（電話機の利用者）が電話番号を記憶しており、ハンドセットを取り上げた状態でダイヤルボタンを直接押下して電話番号を入力しダイヤルすればよいが、たまに電話をかける相手の場合は、電話番号が書かれたメモを確認しながらダイヤルボタンを押下して電話番号を入力しダイヤルすることになる。このメモを確認する手間を省くために、名称と電話番号とを対応付けてメモリに記憶し、名称を選択してダイヤルすることが可能な電話帳機能付電話機がある。
【０００４】
さらに、名称の選択方法として、ダイヤルボタンそれぞれに例えばア行、力行といったような名称の頭文字のグループを割り振っておき、まず、電話帳検索の開始を指示する機能キーを押下し、続けて所望の頭文字（名称の１文字目）の文字が割り振られたダイヤルボタンを押下した後、検索操作を行うことにより素早く選択できる電話帳機能付電話機がある。
【０００５】
また、電話番号を直接ダイヤルする方法として、ダイヤルボタンを押して電話番号を先に入力し、その後ダイヤル発信操作を行ないダイヤルする機能（プリセットダイヤル）を備えた電話機もある。
【０００６】
【発明が解決しようとする課題】
従来の電話帳機能付電話機においては、プリセットダイヤルを実行する場合に、待受け状態から所望の番号のダイヤルボタンを押下するが、この場合に押下するダイヤルボタンは電話番号そのものである。
【０００７】
一方、プリセットダイヤル実行時に押下されるダイヤルボタンは、相手名称を検索してダイヤルする場合に、相手名称の頭出しの機能も持っている。
【０００８】
従って、待ち受け状態からのダイヤルボタンの押下で働く機能を、プリセットダイヤルとするか、または電話帳検索とするかを予め設定しておく必要がある。この設定例としては、待ち受け状態からのダイヤルボタンの押下で働く機能をプリセットダイヤルとし、電話帳検索を実行するときはダイヤルボタンの押下前に機能キーを押下するというものがある。そのため、プリセットダイヤル以外の機能を利用する場合にはまず機能キーを押下する必要があり、操作が複雑になるといった問題があった。
【０００９】
本発明はこのような問題を解決すべく創案されたもので、ダイヤルボタン押下前に機能キーを押下することなく、複数の機能を実行できる電話帳機能付電話機を提供するものである。
【００１０】
【課題を解決するための手段】
本発明の電話帳機能付電話機は、名称と読み仮名と電話番号とを関連付けて電話帳データとして記憶した記憶手段と、電話番号の入力および予め任意に割り振られた文字の選択に用いられるダイヤルボタンとダイヤル発信操作時に押下される機能キーと前記記憶手段から所望の電話帳データを検索する際に操作される検索手段とを備えた操作入力手段と、この操作入力手段による操作過程および操作結果を表示する表示手段と、前記各手段を含む電話機全体の動作制御を行う主制御手段とからなる電話帳機能付電話機であって、前記主制御手段は、待受け状態での第１の操作がダイヤルボタンの押下であり、続く第２の操作がダイヤルボタンの押下である場合には、ダイヤルボタンの押下による全ての電話番号の入力後に、電話回線を捕捉してダイヤル発信を行なうプリセットダイヤルモードを実行し、待受け状態での第１の操作がダイヤルボタンの押下であり、第２の操作が検索手段の操作である場合には、押下されたダイヤルボタンに割り振られた文字を頭文字とする読み仮名に関連付けられた電話番号を前記記憶手段から読み出し、この読み出した電話番号を前記表示手段に表示する頭文字検索モードを実行するものである。
【００１１】
この発明によれば、ダイヤルボタンを押下しながら電話番号を入力している最中に検索手段の操作を行うことにより、いつでも電話帳機能を利用することができる。
【００１２】
また、前記第１の操作におけるダイヤルボタンの押下に対応して、押下されたダイヤルボタンの番号とこの押下されたダイヤルボタンに割り振られた文字とが表示手段に同時に表示されるものであってもよい。
【００１３】
この場合には、入力された番号に基づき電話帳機能を利用することも、入力された文字に基づき電話帳機能を利用することもできる。
【００１４】
また、前記主制御手段は、前記プリセットダイヤルモード移行中において、電話番号の一部分が入力された状態で前記検索手段の操作が行われた場合には、ダイヤルボタンの押下により入力された番号から始まる電話番号を記憶手段から読み出し、この読み出した電話番号を表示手段に表示する電話帳検索モードを実行するものであってもよい。
【００１５】
この場合には、途中までしか思い出せない電話番号に関しても、ダイヤルボタンを押下しながら電話番号を入力している最中に検索手段の操作を行うことにより、いつでも電話帳機能を利用することができる。
【００１６】
【発明の実施の形態】
次に、本発明の電話帳機能付電話機の実施の形態について説明する。
【００１７】
図１は本発明の電話帳機能付電話機の電気的構成の一実施の形態を示すブロツク図である。
【００１８】
この電話帳機能付電話機は、バッファ等で構成されており、名称と読み仮名と電話番号とを関連付けて電話帳データとして記憶するとともに、一時的なデータの記憶も行っている記憶部１と、電話番号の入力および予め任意に割り振られた文字の選択に用いられるダイヤルボタンとダイヤル発信操作時に押下される機能キーと記憶手段から所望の電話帳データを検索する際に操作される検索手段とを備えた操作入力部２と、ダイヤル発信操作に基づきダイヤル信号を発生するダイヤル信号発生器３と、操作入力部２による操作過程および操作結果を表示する表示部４と、音声入力用のマイクおよび音声出力用のスピーカーを備えた音声入出力手段としてのハンドセット５と、２線−４線変換を行ない、電話回線６からの信号を所定の電力に増幅してスピーカに送出するとともに、マイクからの信号およびダイヤル信号発生器３からのＤＴＭＦ（Ｄｕａｌ  Ｔｏｎｅ  ＭｕｌｔｉＦｒｅｑｕｅｎｃｙ）信号を電話回線６に送出するスピーチネットワーク７と、これらの部位の動作制御を行う主制御部８とからなる。
【００１９】
図２は本発明の電話帳機能付電話機の外観の一実施の形態を示す説明図である。
【００２０】
ここでは、操作入力部２は、番号（０から９まで）、文字（５０音や濁点および半濁点）および記号（♯および＊）の入力に用いられる１２個のダイヤルキーからなるダイヤルボタン２ａと、電話機の各種機能を利用する際に押下される機能キー２ｂと、検索操作を行う際に用いられる検索ノブ２ｃと、図示されていない各種設定スイッチ（受話音量調節スイッチや着信音量調節スイッチ等）とで構成されている。ダイヤルボタンへの文字の割り当て例としては、例えば、番号「１」のダイヤルキーにはあ行の文字が割り当てられており、番号「２」のダイヤルキーにはか行の文字が割り当てられており、番号「３」のダイヤルキーにはさ行の文字が割り当てられており、番号「４」のダイヤルキーにはた行の文字が割り当てられており、番号「５」のダイヤルキーにはな行の文字が割り当てられており、番号「６」のダイヤルキーにはは行の文字が割り当てられており、番号「７」のダイヤルキーにはま行の文字が割り当てられており、番号「８」のダイヤルキーにはや行の文字が割り当てられており、番号「９」のダイヤルキーにはら行の文字が割り当てられており、番号「０」のダイヤルキーには［わ、を、ん、゛、゜、＿（スペース）］が割り当てられている。また、本実施の形態においては、機能キー２ｂは４個設けられているが、機能キー２ｂの数はこれに限定されるものではなく、電話機が有する機能の数に応じて変更されるものである。そして、検索ノブ２ｃは、電話機の本体１０の側面に形成された凹み部１０ａの対向面１０ａ１，１０ａ２から垂直に突出した状態で設けられた回転軸１２，１２によって回転可能に支持されている。なお、検索ノブ２ｃの代わりに検索キー（例えば、上方向を示す検索キーと下方向を示す検索キーとからなる）が設けられていてもよい。
【００２１】
また、表示部４は、図示されていないＬＥＤ（ｌｉｇｈｔ  ｅｍｉｔｔｉｎｇｄｉｏｄｅ）と、図示されていないＬＥＤ用のドライバと、ＬＣＤ（ｌｉｑｕｉｄ  ｃｒｙｓｔａｌ  ｄｉｓｐｌａｙ）４ａと、図示されていないＬＣＤ用のドライバーとを備えている。
【００２２】
次に、図１および図２に示す電話帳機能付電話機の主制御部８による動作制御について、図３を参照しつつ説明する。
【００２３】
図３は図１に示す電話帳機能付電話機の主制御部による動作制御（マイクロコントロ−ラによる擬似マルチタスク制御）の一例を示すフローチャートである。
【００２４】
図３に示すフローチャートは、電話機が待ち受け状態になっているときにオペレータによる操作入力部２の操作があった場合に、この操作に基づき行われる処理について示している。
【００２５】
なお、主制御部８は所定の周期にて操作入力部２から通知される操作入力（即ち、操作入力部２から出力される操作入力信号）を監視している。従って、オペレータが操作入力部２を操作すると操作入力部２が操作内容を主制御部８に通知し（即ち、操作入力部２から主制御部８に操作内容に応じた操作入力信号が出力され）、これを受けた主制御部８は図３に示すフローチャートの動作制御を実行する。
【００２６】
まず初めに、オペレータが操作入力部２を操作する（ステップＳ１）と、主制御部８は操作入力部２から出力された操作入力信号を受信する（ステップＳ２）。
【００２７】
主制御部８は、受信した操作入力信号を分析し、操作内容がダイヤルキーの押下であるか否かを判断する（ステップＳ３）。もし、操作内容がダイヤルキーの押下であるならば（ステップＳ３における判断結果がＹｅｓである場合は）、主制御部８はダイヤルキーの押下によって入力された番号を記憶部１のダイヤルバッファに記憶し（ステップＳ４）、さらに、記憶部１のダイヤルバッファを確認して、記憶されている番号の桁数が１桁目であるか否かを判断する（ステップＳ５）。すなわち、ダイヤルバッファに１桁の番号が記憶されているときは１桁目と判断し、ダイヤルバッファに２桁以上の番号が記憶されているときは１桁目でないと判断する。そして、ここで桁数が１桁目である場合は（ステップＳ５における判断結果がＹｅｓである場合は）、主制御部８は表示部４を駆動して、入力されダイヤルバッファに記憶された番号と、押下されたダイヤルキーに割り当てられた文字とを同時に表示して、図３に示すフローチャートを抜ける（終了する）。
【００２８】
一方、記憶部１のダイヤルバッファに記憶されている番号の桁数が２桁目以上であった場合は（ステップＳ５における判断結果がＮｏであった場合は）、表示部４の表示をクリアした後、ダイヤルバッファに記憶されている全桁分の番号を表示部４に表示して、図３に示すフローチャートを抜ける（終了する）。
【００２９】
また、オペレータによる操作の内容がダイヤルキーの押下でない場合は（ステップＳ３における判断結果がＮｏである場合は）、オペレータによる操作の内容が検索ノブ２ｃの操作であるか否かを判断する（ステップＳ８）。もし、オペレータによる操作の内容が検索ノブ２ｃの操作でない場合は（ステップＳ８における判断結果がＮｏである場合は）、図３に示すフローチャートを抜ける（終了する）。
【００３０】
一方、オペレータによる操作の内容が検索ノブ２ｃの操作である場合は（ステップＳ８における判断結果がＹｅｓである場合は）、ダイヤルバッファの内容を確認し、ダイヤルバッファの内容に基づき記憶部１の電話帳データを検索する（ステップＳ９）。但し、検索ノブ２ｃが操作されたときにダイヤルバッファに電話番号が記憶されていなければ、記憶部１の電話帳データのすべての名称（通信先の会社名または氏名等）を、読み仮名に従って５０音順にソートし、ア行から並べる。なお、表示する名称が多数有り表示部４に一度に表示できない場合は、表示部４の表示可能行数に応じた設定数分のみ表示され、検索ノブ２ｃを回転させることで名称をスクロールさせることができるようになっている。また、検索ノブ２ｃが操作されたときにダイヤルバッファに記憶されている番号が１桁である場合は、記憶部１の電話帳データのすべての名称を、読み仮名に従って５０音順にソートし、ダイヤルバッファに記憶されている番号のダイヤルボタンに割り振られた文字を頭文字とする名称がトップにくるように並べる。さらにまた、検索ノブ２ｃが操作されたときにダイヤルバッファに記憶されている電話番号が２桁以上である場合は、記憶部１の電話帳データの電話番号を、数字の大小順にソートし、ダイヤルバッファの番号に一致する番号から始まる電話番号がトップにくるように並べる。
【００３１】
そして、主制御部８は表示部４を駆動し、前述のステップＳ９において並び替えた順に電話番号または名称を所定のフォーマットに従って表示部４に表示し、図３に示すフローチャートを抜ける（終了する）。
【００３２】
次に、図１および図２に示す電話帳機能付電話機の表示部４の表示内容の一例について、オペレータのダイヤル操作または検索操作に対応付けて説明する。
【００３３】
図４は図１および図２に示す電話帳機能付電話機の表示部４の表示内容の一例を示す説明図である。
【００３４】
まず、プリセットダイヤルモードについて説明する。このプリセットダイヤルモードとは、予め電話番号の入力が行われた状態でダイヤル発信操作を行うことにより電話回線を捕捉するステップと、ダイヤル発信を行なうステップとを実行するモードのことである。
【００３５】
ここでは、オペレータが例えば「３４−０９８６」に電話をかける場合について説明を行う。まず初めに、待受け状態で、第１の操作としてダイヤルボタンのうち「３」のダイヤルキーが押下されると、表示部４の表示内容が、現在時刻（１：２０）を表示していた状態から、矢印Ｄ１で示すように、押下されたダイヤルキーと押下されたダイヤルキーに割り振られた文字とを示す「３（さ）」とともに、続けて電話番号を入力するならダイヤルキーを押下すればよいことを示す「ダイヤル：ダイヤルキー」と、検索を行う場合は検索ノブ２ｃを回転させればよいことを示す「検索：上下矢印」とが表示された状態に替わる。
【００３６】
続く第２の操作以降もダイヤルボタンの押下による電話番号の入力であり、「３」のダイヤルキーに続けて「４」および「０」のダイヤルキーが押下されると、表示部４の表示内容が、矢印Ｄ２で示すように、押下されたダイヤルキーの番号を示す「３４０＿」とともに、表示された番号を含む電話番号を検索する場合には検索ノブ２ｃを回転させればよいことを示す「番号検索：上下矢印」とが表示された状態に替わる。そして、電話番号のすべての桁が入力されたときには、表示部４の表示内容が、矢印Ｄ３で示すように、押下されたダイヤルキーの番号を示す「３４０９８６＿」とともに、表示された番号を含む電話番号を検索する場合には検索ノブ２ｃを回転させればよいことを示す「番号検索：上下矢印」とが表示された状態に替わる。この状態で、例えば、発信キー（図示せず）の押下、ハンドセット３の取り上げ、またはスピーカホンキー（図示せず）の押下等を行なってオペレータが所定の発信操作を行った場合には、主制御部８は、ダイヤルバッファのデータを読出し、ダイヤル信号発生器３を駆動することにより、スピーチネットワーク７を介して電話回線１に選択信号（ＤＴＭＦ信号またはダイヤルパルス）を送出することにより、ダイヤル発信を行う。このダイヤル発信の動作は、前述の検索においても同様であり、表示部４に表示されている電話番号から通信先を選択して発信操作を行なうと選択された電話番号を用いてダイヤル発信する。
【００３７】
次に、頭文字検索モードについて説明する。
【００３８】
ここでは、オペレータが例えば「坂本    薫（さかもとかおる）」さんに電話をかける場合について説明を行う。まず始めに、待受け状態で、第１の操作としてダイヤルボタンうち「３」のダイヤルキーが押下されると、表示部４の表示内容が、現在時刻（１：２０）を表示していた状態から、矢印Ｄ１で示すように、押下されたダイヤルキーと押下されたダイヤルキーに割り振られた文字とを示す「３（さ）」とともに、「ダイヤル：ダイヤルキー」と「検索：上下矢印」とが表示された状態に替わる。続けて、オペレータが検索ノブ２ｃを操作すると、矢印Ｄ４で示すように、さ行の文字を頭文字とする名称が表示され、検索ノブ２ｃにて黒三角のカーソルを坂本薫さんに移動させて発信操作をすると、主制御部８は選択された名称に関連づけられた電話番号を用いてダイヤル発信する。
。
【００３９】
次に、電話番号検索モードについて説明する。
【００４０】
ここでは、オペレータが、例えばうろ覚えの電話番号の相手に電話をする場合（具体的には、「３４−０９８６」に電話しようとしているのだが、３４０までは記憶が明瞭であるがその後の部分に関しては自信がないといった場合）について説明する。なお、ダイヤルキーの押下を行っている最中に電話番号の記憶に自信がなくなった場合についても同様の操作が行われるので、表示部４の表示内容は同様のものになる。まず始めに、待受け状態で、第１の操作としてダイヤルボタンうち「３」のダイヤルキーが押下されると、表示部４の表示内容が、現在時刻（１：２０）を表示していた状態から、矢印Ｄ１で示すように、押下されたダイヤルキーと押下されたダイヤルキーに割り振られた文字とを示す「３（さ）」とともに、「ダイヤル：ダイヤルキー」と「検索：上下矢印」とが表示された状態に替わる。続く第２の操作および第３の操作もダイヤルボタンの押下による電話番号の入力であり、「３」のダイヤルキーに続けて「４」および「０」のダイヤルキーが押下されると、表示部４の表示内容が、矢印Ｄ２で示すように、押下されたダイヤルキーの番号を示す「３４０＿」とともに、表示された番号を含む電話番号を検索する場合には検索ノブ２ｃを回転させればよいことを示す「番号検索：上下矢印」とが表示された状態に替わる。そして、この状態でオペレータが検索ノブ２ｃを操作すると、矢印Ｄ５で示すように、「３４０」から始まる電話番号が表示部４に表示されるので、検索ノブ２ｃにて黒三角のカーソルを「３４−０９８６」に移動させて発信操作を行うと、主制御部８は選択された電話番号を用いてダイヤル発信する。
【００４１】
なお、「３４０」から始まる電話番号が表示部４に表示されるときに、各電話番号の後ろに「：」を介して名称（図４では「＊＊」）を表示するようにすれば、さらに選択に誤りが無くなるため好ましい。
【００４２】
なお、前記ダイヤルバッファにおける番号の記憶は、オペレータが、ハンドセット３を本体１０のフックに戻すか、または機能キー２ｂを押下する等して操作を中断したときに消去されるものとする。また、電話機がリダイヤル機能を有している場合は、ダイヤル発信操作時に、ダイヤルバッファで記憶されているすべての番号（１つの電話番号）が記憶部１の所定の場所に移される。そして、リダイヤル機能が用いられるときには、この所定の場所から電話番号が読み出される。
【００４３】
なお、本実施の形態では有線電話機において実施した場合について説明を行っているが、本発明は無線電話機においても応用できることは自明である。
【００４４】
【発明の効果】
本発明の電話帳機能付電話機によれば、主制御手段は、待受け状態での第１の操作がダイヤルボタンの押下であり、続く第２の操作がダイヤルボタンの押下である場合には、ダイヤルボタンの押下による全ての電話番号の入力後に、電話回線を捕捉してダイヤル発信を行なうプリセットダイヤルモードを実行し、待受け状態での第１の操作がダイヤルボタンの押下であり、第２の操作が検索手段の操作である場合には、押下されたダイヤルボタンに割り振られた文字を頭文字とする読み仮名に関連付けられた電話番号を前記記憶手段から読み出し、この読み出した電話番号を前記表示手段に表示する頭文字検索モードを実行するものであり、この発明によれば、ダイヤルボタン押下前に機能キーを押下することなく、複数の機能を実行できる。
【００４５】
また、第１の操作におけるダイヤルボタンの押下に対応して、押下されたダイヤルボタンの番号とこの押下されたダイヤルボタンに割り振られた文字とを表示手段に同時に表示する場合には、電話帳機能をより簡単な操作で利用することができる。
【００４６】
また、プリセットダイヤルモード移行中において、電話番号の一部分が入力された状態で検索手段の操作が行われた場合には、ダイヤルボタンの押下により入力された番号から始まる電話番号を記憶手段から読み出し、この読み出した電話番号を表示手段に表示する電話帳検索モードを実行するように構成すれば、電話番号を途中まで入力した状態であっても、電話帳機能を利用することができる。
【図面の簡単な説明】
【図１】本発明の電話帳機能付電話機の電気的構成の一実施の形態を示すブロツク図である。
【図２】本発明の電話帳機能付電話機の外観の一実施の形態を示す説明図である。
【図３】図１に示す電話帳機能付電話機の主制御部による動作制御の一例を示すフローチャートである。
【図４】図１および図２に示す電話帳機能付電話機の表示部の表示内容の一例を示す説明図である。
【符号の説明】
１  記憶部
２  操作入力部
２ａ  ダイヤルボタン
２ｂ  機能キー
２ｃ  検索ノブ
３  ダイヤル信号発生器
４  表示部
５  ハンドセット
６  電話回線
７  スピーチネットワーク
８  主制御部
１０  本体
【図１】
0003597120.tif 000002
【図２】
0003597120.tif 000003
【図３】
0003597120.tif 000004
【図４】
0003597120.tif 000005